(57)【要約】【課題】複数の接続対象機器の接続を時間的に効率的に行うことができ、ひいては、所望のサービスを迅速に利用することができる「車載機および無線接続方法」を提供すること。【解決手段】複数の接続対象機器２を無線接続する接続手段２３と、この接続手段２３による接続の確立に要した接続所要時間を記録する接続所要時間記録手段２５と、記録された接続所要時間に基づいて、複数の接続対象機器２の接続順序を決定する接続順序決定手段２７と、この接続順序決定手段２７によって決定された接続順序にしたがって複数の接続対象機器２を順次接続するように接続手段２３を制御する接続制御手段２８とを備え、接続順序決定手段２７は、接続所要時間が短い接続対象機器２ほど、接続順序を先頭側に決定すること。【選択図】図１
2013172295.tif 000002
【特許請求の範囲】
【請求項１】
所定の機能に対応した複数の接続対象機器を、所定の無線通信によって車載機本体に接続可能とされ、接続された前記接続対象機器に対応した前記機能を前記車載機本体側で利用可能とされた車載機であって、
前記複数の接続対象機器を、前記無線通信によって前記車載機本体に接続する接続手段と、
この接続手段による前記複数の接続対象機器のそれぞれの接続の確立に要した接続所要時間を記憶部に記録する接続所要時間記録手段と、
この接続所要時間記録手段によって記録された前記接続所要時間に基づいて、前記車載機本体への前記複数の接続対象機器の接続順序を決定する接続順序決定手段と、
この接続順序決定手段によって決定された前記接続順序にしたがって前記複数の接続対象機器を前記車載機本体に順次接続するように前記接続手段を制御する接続制御手段と
を備え、
前記接続順序決定手段は、前記記録された接続所要時間が短い前記接続対象機器ほど、前記接続順序を先頭側に決定すること
を特徴とする車載機。
【請求項２】
前記接続所要時間記録手段は、前記複数の接続対象機器の前記接続所要時間をそれぞれ複数回記録可能とされ、
前記接続順序決定手段は、前記接続順序の決定に、前記複数の接続対象機器のそれぞれについての前記接続所要時間記録手段による複数回分の前記接続所要時間の記録結果の平均値を用いること
を特徴とする請求項１に記載の車載機。
【請求項３】
前記複数の接続対象機器は、ハンズフリー通話機能に対応した携帯電話機、音楽再生機能に対応したオーディオプレーヤおよびインターネット接続機能に対応した携帯端末を含むこと
を特徴とする請求項１または請求項２に記載の車載機。
【請求項４】
前記無線通信は、ブルートゥースによる通信であること
を特徴とする請求項１乃至請求項３のいずれか１項に記載の車載機。
【請求項５】
所定の機能に対応した複数の接続対象機器を、車載機における前記機能の利用のために所定の無線通信によって前記車載機に接続する無線接続方法であって、
前記車載機への前記複数の接続対象機器のそれぞれの接続の確立に要した接続所要時間を記憶部に記録する第１のステップと、
この第１のステップにおいて記録された前記接続所要時間に基づいて、前記車載機への前記複数の接続対象機器の接続順序を決定する第２のステップと、
この第２のステップにおいて決定された前記接続順序にしたがって、前記複数の接続対象機器を前記車載機に順次接続する第３のステップと
を含み、
前記第２のステップは、前記第１のステップにおいて記録された前記接続所要時間が短い前記接続対象機器ほど、前記接続順序を先頭側に決定するステップであること
を特徴とする無線接続方法。
【請求項６】
前記第１のステップは、前記複数の接続対象機器の前記接続所要時間をそれぞれ複数回記録するステップであり、
前記第２のステップは、前記接続順序の決定に、前記複数の接続対象機器のそれぞれについての前記第１のステップにおける複数回分の前記接続所要時間の記録結果の平均値を用いるステップであること
を特徴とする請求項５に記載の無線接続方法。
【発明の詳細な説明】
【技術分野】
【０００１】
本発明は、車載機および無線接続方法に係り、特に、所定の機能に対応した複数の接続対象機器を無線通信によって接続して当該機能を利用するのに好適な車載機および無線接続方法に関する。
【背景技術】
【０００２】
従来から、ブルートゥース（Bluetooth：登録商標）機能が搭載された車載機においては、ブルートゥース対応のデバイスをブルートゥース通信によって無線接続して、当該デバイスに対応した機能を車載機側において利用することが可能とされていた。
【０００３】
この種の車載機においては、デバイスを車載機に登録（ペアリング）した上で、登録後の所定のトリガ（例えば、車両のＡｃｃのオン）の発生に応じて、車載機から当該デバイスに対して、ブルートゥース通信を介した接続処理を行うようになっていた。そして、この接続処理によって車載機へのデバイスの接続が確立された状態において、車載機がデバイスから当該デバイスに対応した機能に関する情報を取得して車載機側で利用することが可能となっていた。
【０００４】
なお、ブルートゥース対応のデバイスに対応した機能を当該デバイスの接続相手機器側において利用することに関する従来技術としては、例えば、特許文献１に示すような技術が提案されている。
【先行技術文献】
【特許文献】
【０００５】
【特許文献１】特開２００６−２４５９５７号公報
【特許文献２】特開２００４−２５４３０９号公報
【発明の概要】
【発明が解決しようとする課題】
【０００６】
ところで、従来は、車載機に複数のデバイスが登録されている場合には、車載機は、各デバイスに対して、車載機の実装仕様等によって予め決められた接続順序にしたがった接続処理を行っていた。
【０００７】
このため、接続順序が前側のデバイスが接続の確立に時間を要する場合には、その間、接続順序が後側のデバイスの接続が待たされることになり、その結果、ユーザが当該接続順序が後側のデバイスに対応した機能を利用できるまでに長時間待たされてしまうといった問題が生じていた。
【０００８】
例えば、図６（ａ）に示すように、複数のデバイスとして、ハンズフリー通話機能に対応した「携帯電話機＃１」と、インターネット接続機能に対応した「携帯電話機＃２」と、音楽ストリーミング機能に対応した「オーディオプレーヤ」とが車載機に登録されている場合を考える。
【０００９】
ここで、各デバイスについての車載機との接続の確立に要する接続所要時間は、「携帯電話機＃１」が１秒、「携帯電話機＃２」が８秒、「オーディオプレーヤ」が１秒であり、また、車載機による接続順序は、「携帯電話機＃１」が１番、「携帯電話機＃２」が２番、「オーディオプレーヤ」が３番であるとする。
【００１０】
この場合に、図６（ｂ）に示すように、「オーディオプレーヤ」は、「携帯電話機＃２」よりも接続所要時間が短いのにもかかわらず、接続順序が「携帯電話機＃２」の後側であることによって、各デバイスへの接続順序にしたがった接続処理の開始から、「オーディオプレーヤ」の接続の確立までの時間（接続所要時間累計）が１０秒になってしまっていた。
【００１１】
このように、従来は、接続所要時間が短いデバイスに対応した機能の利用開始が、接続順序の犠牲になって徒に遅延してしまうことがあった。
【００１２】
そこで、本発明は、このような問題点に鑑みなされたものであり、複数の接続対象機器の接続を時間的に効率的に行うことができ、ひいては、ユーザに所望のサービスを迅速に利用させることができる車載機および無線接続方法を提供することを目的とするものである。
【課題を解決するための手段】
【００１３】
前述した目的を達成するため、本発明に係る車載機は、所定の機能に対応した複数の接続対象機器を、所定の無線通信によって車載機本体に接続可能とされ、接続された前記接続対象機器の前記機能を前記車載機本体側で利用可能とされた車載機であって、前記複数の接続対象機器を、前記無線通信によって前記車載機本体に接続する接続手段と、この接続手段による前記複数の接続対象機器のそれぞれの接続の確立に要した接続所要時間を記憶部に記録する接続所要時間記録手段と、この接続所要時間記録手段によって記録された前記接続所要時間に基づいて、前記車載機本体への前記複数の接続対象機器の接続順序を決定する接続順序決定手段と、この接続順序決定手段によって決定された前記接続順序にしたがって前記複数の接続対象機器を前記車載機本体に順次接続するように前記接続手段を制御する接続制御手段とを備え、前記接続順序決定手段は、前記記録された接続所要時間が短い前記接続対象機器ほど、前記接続順序を先頭側に決定することを特徴としている。
【００１４】
また、本発明に係る無線接続方法は、所定の機能に対応した複数の接続対象機器を、車載機における前記機能の利用のために所定の無線通信によって前記車載機に接続する無線接続方法であって、前記車載機への前記複数の接続対象機器のそれぞれの接続の確立に要した接続所要時間を記憶部に記録する第１のステップと、この第１のステップにおいて記録された前記接続所要時間に基づいて、前記車載機への前記複数の接続対象機器の接続順序を決定する第２のステップと、この第２のステップにおいて決定された前記接続順序にしたがって、前記複数の接続対象機器を前記車載機に順次接続する第３のステップとを含み、前記第２のステップは、前記第１のステップにおいて記録された前記接続所要時間が短い前記接続対象機器ほど、前記接続順序を先頭側に決定するステップであることを特徴としている。
【００１５】
そして、このような本発明によれば、複数の接続対象機器の接続所要時間を記録しておき、その後の各接続対象機器の接続の際に、記録されている接続所要時間が短い接続対象機器ほど、先頭側の接続順序で接続することができるので、複数の接続対象機器の接続を時間的に効率的に行うことができる。
【００１６】
さらに、本発明の車載機において、前記接続所要時間記録手段は、前記複数の接続対象機器の前記接続所要時間をそれぞれ複数回記録可能とされ、前記接続順序決定手段は、前記接続順序の決定に、前記複数の接続対象機器のそれぞれについての前記接続所要時間記録手段による複数回分の前記接続所要時間の記録結果の平均値を用いてもよい。同様に、本発明の無線接続方法において、前記第１のステップは、前記複数の接続対象機器の前記接続所要時間をそれぞれ複数回記録するステップであり、前記第２のステップは、前記接続順序の決定に、前記複数の接続対象機器のそれぞれについての前記第１のステップにおける複数回分の前記接続所要時間の記録結果の平均値を用いるステップであってもよい。
【００１７】
そして、このような本発明によれば、各接続対象機器の時間的に効率的な接続をより確実に行うことができる。
【００１８】
さらにまた、本発明の車載機において、前記複数の接続対象機器は、ハンズフリー通話機能に対応した携帯電話機、音楽再生機能に対応したオーディオプレーヤおよびインターネット接続機能に対応した携帯端末を含んでもよい。
【００１９】
そして、このような構成によれば、例えば、インターネット接続機能に対応した携帯端末の接続に時間がかかる場合に、他の２つの接続対象機器の接続を優先させることができる。
【００２０】
また、本発明の車載機において、前記無線通信は、ブルートゥースによる通信であってもよい。
【００２１】
そして、このような構成によれば、複数の接続対象機器のブルートゥース通信による接続を時間的に効率的に行うことができる。
【発明の効果】
【００２２】
本発明によれば、複数の接続対象機器の接続を時間的に効率的に行うことができ、ひいては、ユーザに所望のサービスを迅速に利用させることができる。
【図面の簡単な説明】
【００２３】
【図１】本発明に係る車載機の実施形態を示す概要図
【図２】図１の車載機のブロック図
【図３】図１の車載機による接続処理の一例を示すタイムチャート
【図４】図１の車載機の動作例を説明するための説明図
【図５】本発明に係る無線接続方法の実施形態を示すフローチャート
【図６】従来の問題点を説明するための説明図
【発明を実施するための形態】
【００２４】
（車載機の実施形態）
以下、本発明に係る車載機の実施形態について、図１乃至図４を参照して説明する。
【００２５】
図１は、本実施形態における車載機１を示す概要図である。
【００２６】
図１に示すように、車載機１は、所定の機能ａ、ｂ、ｃにそれぞれ対応した接続対象機器としての複数のデバイス２Ａ、２Ｂ、２Ｃを、所定の無線通信としてのブルートゥース通信によって接続可能とされている。ただし、各デバイス２Ａ〜Ｃは、いずれも車載機１に登録（ペアリング）済みのものである。そして、車載機１は、接続されたデバイス２Ａ〜Ｃに対応した機能ａ〜ｃを、車載機１側で利用可能とされている。
【００２７】
図２は、このような車載機１とデバイス２Ａ〜Ｃの具体的構成を示したブロック図である。なお、便宜上、図２には、複数のデバイス２Ａ〜Ｃを代表する１つのデバイスのみを符号２によって示した。
【００２８】
まず、デバイス２について詳述すると、図２に示すように、デバイス２は、デバイス側制御部３と、このデバイス側制御部３にそれぞれ接続された対応機能アプリ記憶部４、デバイス側主記憶部５、デバイス側操作部６、デバイス側ブルートゥース通信部７、デバイス側表示部８およびデバイス側音声出力部１０とによって構成されている。
【００２９】
ここで、デバイス側制御部３は、ＣＰＵ等の演算処理装置によって構成され、デバイス２の動作を制御するようになっている。例えば、デバイス側制御部３は、デバイス側対応機能実行部１２を有しており、このデバイス側対応機能実行部１２は、前述した所定の機能ａ〜ｃを実行可能とされている。このデバイス側対応機能実行部１２による機能ａ〜ｃの実行は、デバイス２単体で自己完結する場合もあるが、本実施形態においては、デバイス２の車載機１へのブルートゥース通信を介した接続状態において、車載機１側での利用のために好適に行われるようになっている。なお、機能ａ〜ｃとしては、ハンズフリー通話機能、インターネット接続機能および音楽ストリーミング機能等を挙げることができる。
【００３０】
また、対応機能アプリ記憶部４には、機能ａ〜ｃに対応したアプリケーションソフトウェア（以下、対応機能アプリと略称する）が記憶されており、デバイス側対応機能実行部１２は、この対応機能アプリを実行することによって、対応する機能ａ〜ｃを実行するようになっている。
【００３１】
さらに、デバイス側主記憶部５は、ＲＯＭやＲＡＭ等によって構成され、デバイス側制御部３の実行プログラム（対応機能アプリ以外）の記憶や、デバイス側制御部３の処理結果の一時的な保存等に用いられるようになっている。
【００３２】
さらにまた、デバイス側操作部６は、タッチパネルや押しボタン等によって構成され、デバイス２に対する種々の入力操作が可能とされている。デバイス側操作部６は、機能ａ〜ｃをデバイス２単体で利用する場合の入力操作に用いられる場合もあるが、本実施形態においては、機能ａ〜ｃを車載機１側で利用するために必要な入力操作に好適に用いられる。このような入力操作としては、デバイス２を車載機１に登録するために必要な入力操作（例えば、デバイス側表示部８に表示された機器登録用のメニュー画面に対するメニュー項目選択操作やＰＩＮコードの入力操作等）を挙げることができる。
【００３３】
また、デバイス側ブルートゥース通信部７は、公知のブルートゥース通信モジュールによって構成され、デバイス側制御部３の制御の下で、車載機１とのブルートゥース通信によって車載機１に接続可能とされている。そして、このデバイス側ブルートゥース通信部７による車載機１への接続状態において、デバイス側制御部３は、車載機１に対して、デバイス側対応機能実行部１２によって実行された機能ａ〜ｃに関するデータ（映像データ、音声データ等）を、デバイス側ブルートゥース通信部７を介して車載機１に送信することによって、車載機１側での機能ａ〜ｃの利用を可能ならしめている。
【００３４】
次に、車載機１について詳述すると、図２に示すように、車載機１は、大別して、車載機側制御部１４と、この車載機側制御部１４にそれぞれ接続された登録機器情報記憶部１５、接続所要時間記憶部１６、車載機側主記憶部１７、車載機側ブルートゥース通信部１８、車載機側操作部１９、車載機側表示部２０および車載機側音声出力部２１とによって構成されている。
【００３５】
ここで、車載機側制御部１４は、デバイス２に対応する機能ａ〜ｃを車載機１側で利用するための種々の制御や処理を行うようになっている。この車載機側制御部１４は、ＣＰＵ等の演算処理装置によって実現してもよい。
【００３６】
また、登録機器情報記憶部１５には、車載機１に登録されたデバイス２に関する情報（例えば、ＰＩＮコード等）が記憶されている。この登録機器情報記憶部１５は、フラッシュメモリやハードディスクドライブ等の不揮発性メモリによって実現してもよい。
【００３７】
さらに、接続所要時間記憶部１６には、車載機１へのデバイス２の接続の確立に要した接続所要時間の情報が、複数のデバイス２Ａ〜Ｃごとにそれぞれ記憶されている。この接続所要時間記憶部１６は、フラッシュメモリやハードディスクドライブ等の不揮発性メモリによって実現してもよい。
【００３８】
さらにまた、車載機側主記憶部１７には、車載機側制御部１４の実行プログラム（ソフトウェア）が記憶されており、車載機側制御部１４は、この実行プログラムを実行することによって、自らの機能を実現するようになっている。なお、車載機１をデバイス２に所謂ターミナルモードで接続して、デバイス２側のアプリケーションを車載機１側での入力操作（座標入力）によって車載機１上で利用するような特殊な構成を採る場合を除いては、車載機側主記憶部１７には、デバイス２側の機能ａ〜ｃに対応したアプリケーションソフトウェア（ハンズフリー通話アプリ、Webブラウザ、オーディオ再生アプリ等）を格納しておくようにしてもよい。また、車載機側主記憶部１７は、車載機側制御部１４による処理結果の一時的な保存等に用いられるようになっている。この車載機側主記憶部１７は、ＲＯＭやＲＡＭ等によって実現してもよい。
【００３９】
また、車載機側ブルートゥース通信部１８は、車載機側制御部１４の制御の下で、デバイス２（デバイス側ブルートゥース通信部７）とのブルートゥース通信によって、デバイス２を車載機１に接続することが可能とされている。この車載機側ブルートゥース通信部１８は、例えば、アンテナ、バンドパスフィルタ、バラン、クリスタルユニットおよびブルートゥースコア（ＲＦ送受信回路、クロック信号出力回路、マイコン、記憶部等を集積させたＩＣチップであってもよい）等からなる公知のブルートゥース通信モジュールによって実現してもよい。
【００４０】
さらに、車載機側操作部１９は、車載機１に対する種々の入力操作が可能とされている。この入力操作としては、デバイス２を車載機１に登録する際における車載機１側で必要な入力操作（例えば、車載機側表示部２０に表示された機器登録用のメニュー画面に対するメニュー項目選択操作等）や、登録済みのデバイス２との接続処理に必要な入力操作（例えば、Ａｃｃのオン）等を挙げることができる。この車載機側操作部１９は、タッチパネル、リモコン、Ａｃｃスイッチ等によって構成してもよい。
【００４１】
次に、車載機側制御部１４について更に詳述すると、図２に示すように、車載機側制御部１４は、デバイス登録部２２を有している。このデバイス登録部２２は、車載機１とデバイス２との間でブルートゥース通信を介した所定の登録手続が交わされると、デバイス２の情報を登録機器情報記憶部１５に記録することによって、デバイス２を車載機１に登録するようになっている。
【００４２】
また、図２に示すように、車載機側制御部１４は、接続手段としての接続処理部２３を有している。この接続処理部２３は、所定のトリガ（例えば、Ａｃｃのオン）の発生に応じて、デバイス登録部２２による登録済みのデバイス２をブルートゥース通信によって車載機１に接続するための接続処理を行うようになっている。なお、デバイス２を車載機１に登録する際にも、車載機１とデバイス２ととの接続状態が確立されることになるが、本実施形態における接続処理は、このような登録作業時における接続は含まないものとする。本実施形態における接続処理が行われる典型的な場面としては、デバイス２を車載機１に登録してＡｃｃをオフした後に、Ａｃｃを再びオンにした場合を挙げることができる。
【００４３】
ここで、図３は、接続処理部２３によるデバイス２の接続処理の一例を示したものである。
【００４４】
この接続処理においては、まず、図３のステップ１（ＳＴ１）において、接続処理部２３から車載機側ブルートゥース接続部１８に、HCI_Create_Connectionコマンドを送信する。
【００４５】
次いで、ステップ２（ＳＴ２）において、車載機側ブルートゥース通信部１８から接続処理部２３に、HCI_Command_Statusイベントを通知する。
【００４６】
次いで、ステップ３（ＳＴ３）において、車載機側ブルートゥース通信部１８からデバイス側ブルートゥース通信部７に、LMP_feature_req_extコマンドを送信する。
【００４７】
次いで、ステップ４（ＳＴ４）において、デバイス側ブルートゥース通信部７から車載機側ブルートゥース通信部１８に、LMP_feature_res_extレスポンスを送信する。
【００４８】
次いで、ステップ５（ＳＴ５）において、デバイス側ブルートゥース通信部７から車載機側ブルートゥース通信部１８に、LMP_feature_req_extコマンドを送信する。
【００４９】
次いで、ステップ６（ＳＴ６）において、車載機側ブルートゥース通信部１８からデバイス側ブルートゥース通信部７に、LMP_feature_res_extレスポンスを送信する。
【００５０】
次いで、ステップ７（ＳＴ７）において、車載機側ブルートゥース通信部１８からデバイス側ブルートゥース通信部７に、LMP_host_connection_reqコマンドを送信する。
【００５１】
次いで、ステップ８（ＳＴ８）において、デバイス側ブルートゥース通信部７からデバイス側制御部３（ただし、接続処理に関与する機能：以下、図３において同様）に、HCI_Connection_Requestイベントを通知する。
【００５２】
次いで、ステップ９（ＳＴ９）において、デバイス側制御部３からデバイス側ブルートゥース通信部７に、HCI_Accept_Command_Requestコマンドを送信する。
【００５３】
次いで、ステップ１０（ＳＴ１０）において、デバイス側ブルートゥース通信部７からデバイス側制御部３に、HCI_Command_Statusイベントを通知する。
【００５４】
次いで、ステップ１１（ＳＴ１１）において、デバイス側ブルートゥース通信部７から車載機側ブルートゥース通信部１８に、LMP_acceptedレスポンスを送信する。
【００５５】
次いで、ステップ１２（ＳＴ１２）において、車載機側ブルートゥース通信部１８からデバイス側ブルートゥース通信部７に、LMP_setup_completeコマンドを送信する。
【００５６】
次いで、ステップ１３（ＳＴ１３）において、デバイス側ブルートゥース通信部７から車載機側ブルートゥース通信部１８に、LMP_setup_completeレスポンスを送信する。
【００５７】
最後に、ステップ１４（ＳＴ１４）において、車載機側ブルートゥース通信部１８から接続処理部２３に、HCI_Command_Completeイベントを通知するとともに、デバイス側ブルートゥース通信部７からデバイス側制御部３に、HCI_Command_Completeイベントを通知する。
【００５８】
ただし、接続処理部２３による接続処理は、図３に示したものに限定されない。
【００５９】
図２に戻って、車載機側制御部１４は、接続所要時間計測部２４を有している。この接続所要時間計測部２４は、接続処理部２３の動作状態を監視して、接続処理部２３による接続処理の際に、車載機１へのデバイス２の接続の確立に要した接続所要時間を計測するようになっている。この接続所要時間の計測は、複数のデバイス２Ａ〜Ｃごとに行うようになっている。図３の例で言えば、ステップ１（ＳＴ１）からステップ１４（ＳＴ１４）までの時間を接続所要時間として計測すればよい。
【００６０】
また、図２に示すように、車載機側制御部１４は、接続所要時間記録手段としての接続所要時間記録部２５を有している。この接続所要時間記録部２５は、接続所要時間計測部２４によって計測された各デバイス２Ａ〜Ｃごとの接続所要時間を、接続所要時間記憶部１６に記録するようになっている。この接続所要時間は、登録機器情報記憶部１５に記録されているデバイス２の情報と対応付けた状態で記録するようにしてもよい。
【００６１】
さらに、図２に示すように、車載機側制御部１４は、車載機側対応機能実行部２６を有している。この車載機側対応機能実行部２６は、車載機１に対して接続状態（すなわち、接続処理部２３によって接続が確立された状態）となっているデバイス２に対して、当該デバイス２に対応した機能ａ〜ｃに関するデータを操作部１９の画面操作等に応じて要求するようになっている。この要求は、車載機側ブルートゥース通信部１８を介してデバイス２に送信されるようになっている。そして、この要求に応答して、デバイス２は、デバイス側対応機能実行部１２によって対応する機能ａ〜ｃを実行して、この実行によって得られたデータをデバイス側ブルートゥース通信部７を介して車載機１に送信するようになっている。このようにして、デバイス２に対応した機能ａ〜ｃを車載機１側において利用することができるようになっている。例えば、ハンズフリー通話機能の場合には、デバイス２からアドレス帳を取得して、車載機１側のアドレス帳に登録することや、車載機１側においてアドレス帳から選択した通話相手にデバイス２を介して発呼した上で、その通話相手からの発話データをデバイス２から取得して車載機側音声出力部２１に出力させること等が可能となる。また、インターネット接続機能や音楽ストリーミング機能の場合には、車載機１側での画面操作によってＵＲＬ指定したＷｅｂページにデバイス２を介してアクセスし、当該Ｗｅｂページからの配信データを、デバイス２からデバイス側ブルートゥース通信部７を介して取得し、これを車載機側音声出力部２１に音声出力させることや車載機側表示部２０に表示させること等が可能となる。
【００６２】
さらにまた、図２に示すように、車載機側制御部１４は、接続順序決定手段としての接続順序決定部２７を有している。この接続順序決定部２７は、接続処理部２３による接続処理のトリガが発生した場合に、接続所要時間記憶部１６に記録されている接続所要時間に基づいて、車載機１への登録済みの複数のデバイス２Ａ〜Ｃ（図１参照）の接続順序（すなわち、各デバイス２Ａ〜Ｃに対する接続処理部２３の接続処理の順序）を決定するようになっている。このとき、接続順序決定部２７は、接続所要時間記憶部１６に記憶されている接続所要時間が短いデバイス２Ａ〜Ｃほど、接続順序を先頭側に決定するようになっている。
【００６３】
また、図２に示すように、車載機側制御部１４は、接続制御手段としての接続処理制御部２８を有している。この接続処理制御部２８は、接続順序決定部２７によって決定された接続順序にしたがって複数のデバイス２Ａ〜Ｃを車載機１に順次接続するように、接続処理部２３を制御するようになっている。
【００６４】
そして、接続処理部２３は、この接続処理制御部２８の制御にしたがった接続順序で、複数のデバイス２Ａ〜Ｃに対する接続処理を行うようになっている。
【００６５】
このような構成によれば、複数のデバイス２Ａ〜Ｃの接続所要時間を記録しておき、その後の各デバイス２Ａ〜Ｃの接続の際に、接続所要時間記憶部１６に記録されている接続所要時間が短いデバイス２Ａ〜Ｃほど、先頭側の接続順序で接続することができるので、複数のデバイス２Ａ〜Ｃの接続を時間的に効率的に行うことができる。
【００６６】
ここで、具体的な動作例を、図６に示したものと同様の「携帯電話機＃１」、「携帯電話機＃２」、「オーディオプレーヤ」の各デバイス２を適用して説明する。本実施形態においては、まず、これら３つのデバイスを対象とした第１回目の接続処理（すなわち、接続所要時間記憶部１６に各デバイスの接続所要時間が未記録の場合の接続処理）において、車載機１側で予め定め決められたサービス（機能）の順序にしたがって、図６（ａ）に示したような接続順序での接続処理が行われたとする。この接続順序では、接続所要時間が長い接続順序が２番目のデバイス（「携帯電話機＃２」）によって、接続所要時間が短い接続順序が３番目のデバイス（「オーディオプレーヤ」）の利用開始が徒に遅延することについては先に述べた通りである。本実施形態においては、このような接続順序での接続が確立した際に、接続所要時間記録部２５によって、接続所要時間計測部２４から得られた各デバイスの接続所要時間を接続所要時間記憶部１６に記録しておく。
【００６７】
そして、同じ３つのデバイス（「携帯電話機＃１」、「携帯電話機＃２」、「オーディオプレーヤ」）を対象とした第２回目の接続処理の際には、接続順序決定部２７が、接続所要時間記憶部１６に記録された３つのデバイスの接続所要時間に基づいて、各デバイスに対する接続処理の接続順序を決定する。これにより、図４（ａ）に示すように、第１回目の接続の場合と比べて、「携帯電話機＃２」と「オーディオプレーヤ」との接続順序を入れ替えることができる。そして、このような接続順序にしたがって接続処理部２３による接続処理を行うと、図４（ｂ）に示すように、「オーディオプレーヤ」の接続所要時間の累計を、第１回目に比べて８秒短縮することができる。一方、「携帯電話機＃２」については、接続所要時間の累計が第１回目に比べて１秒遅延するが、「オーディオプレーヤ」についての短縮時間が大きいことから、第１回目よりも時間的に効率的な接続処理が実現できたと言える。
【００６８】
上記構成に加えて、更に、本実施形態において、接続所要時間記録部２５は、デバイス２に対する接続処理の機会ごとに、接続所要時間計測部２４からその都度取得した接続所要時間を接続所要時間記憶部１６に記録するようにしてもよい。このような場合には、接続所要時間記録部２５によって、各デバイス２ごとに、接続所要時間の記録が複数回ずつ行われることになる。そして、このような場合に、接続順序決定部２７は、各デバイス２に対する接続処理の接続順序の決定に、各デバイス２のそれぞれの複数回分の接続所要時間の記録結果の平均値を用いるようにしてもよい。
【００６９】
そして、このように構成すれば、例えば、ある回の接続処理においては、何らかの原因によって普段と異なり偶然接続所要時間を要したような場合に、この回の接続所要時間の記録結果に引きずられて本来的に妥当な接続順序が決められないといった事態を回避することができる。この結果、各デバイス２の時間的に効率的な接続をより確実に行うことができる。
【００７０】
なお、デバイス２の登録時期によっては、複数のデバイス２に対する接続処理の際に、接続所要時間が記録済みのデバイス２と未記録のデバイス２とが混在する場合もあり得るが、このような場合には、記録済みのデバイス２については、接続所要時間に基づいた接続順序を決定し、未記録のものについては、接続順序を記録済みのものに対して後回しにしてもよい。
【００７１】
（無線接続方法の実施形態）
次に、前述した車載機１を適用した本発明に係る無線接続方法の本実施形態について、図５を参照して説明する。
【００７２】
なお、便宜上、図５の初期状態においては、デバイス登録部２２による複数のデバイス２Ａ〜Ｃの登録が完了しているものとする。
【００７３】
そして、初期状態から、まず、図１のステップ２１（ＳＴ２１）において、接続処理部２３により、接続処理のトリガが発生したか否かを判定する。そして、ステップ２１（ＳＴ２１）において肯定的な判定結果が得られた場合には、ステップ２２（ＳＴ２２）に進み、否定的な判定結果が得られた場合には、ステップ２１（ＳＴ２１）を繰り返す。
【００７４】
次いで、ステップ２２（ＳＴ２２）において、接続順序決定部２７により、接続処理の対象となるデバイス２Ａ〜Ｃについて、接続所要時間が接続所要時間記憶部１６に記録されているか否かを判定する。そして、ステップ２２（ＳＴ２２）において肯定的な判定結果が得られた場合には、ステップ２３（ＳＴ２３）に進み、否定的な判定結果が得られた場合には、ステップ２９（ＳＴ２９）に進む。
【００７５】
ここで、ステップ２３（ＳＴ２３）に進んだ場合には、接続順序決定部２７により、接続所要時間記憶部１６に記録されている接続所要時間に基づいて、前述した決定手法により、複数のデバイス２Ａ〜Ｃに対する接続処理の接続順序を決定して、ステップ２４（ＳＴ２４）に進む。
【００７６】
一方、ステップ２９（ＳＴ２９）に進んだ場合には、接続処理部２３により、予め決められた実装仕様に基づく接続順序での接続処理を実行して、ステップ２５（ＳＴ２５）に進む。
【００７７】
次いで、ステップ２４（ＳＴ２４）において、接続処理制御部２８による接続処理部２３の制御により、ステップ２３（ＳＴ２３）において決定された接続順序にしたがった接続処理を実行する。
【００７８】
次いで、ステップ２５（ＳＴ２５）において、接続所要時間計測部２４により、接続所要時間の計測を開始する。
【００７９】
次いで、ステップ２６（ＳＴ２６）において、接続所要時間計測部２４により、デバイス２Ａ〜Ｃの接続が確立されたか否かを判定する。そして、ステップ２６（ＳＴ２６）において肯定的な判定結果が得られた場合には、ステップ２７（ＳＴ２７）に進み、否定的な判定結果が得られた場合には、ステップ２６（ＳＴ２６）を繰り返す。
【００８０】
次いで、ステップ２７（ＳＴ２７）において、接続所要時間計測部２４による接続所要時間の計測を終了する。
【００８１】
次いで、ステップ２８（ＳＴ２８）において、接続所要時間記録部２５により、ステップ２７（ＳＴ２７）において計測された接続所要時間を接続所要時間記憶部１６に記録して、ステップ２１（ＳＴ２１）に戻る。
【００８２】
以上述べたように、本発明によれば、接続所要時間記録部２５によって記録されている接続所要時間が短いデバイス２Ａ〜Ｃほど、先頭側の接続順序で接続することによって、複数のデバイス２Ａ〜Ｃの接続を時間的に効率的に行うことができるので、所望の機能ａ〜ｃを迅速に利用することができる。
【００８３】
なお、本発明は、前述した実施の形態に限定されるものではなく、本発明の特徴を損なわない限度において種々変更してもよい。
【００８４】
例えば、本発明は、ブルートゥース通信以外の無線通信に適用するようにしてもよい。
【００８５】
また、記録された接続所要時間あるいは前述した平均値が同一であることによって、接続所要時間だけでは接続順序の優劣を決し得ない複数のデバイス２がある場合には、それらのデバイス２に限って、例外的に、車載機１の実装仕様に応じた予め決められた順序にしたがった接続順序を適用するようにしてもよい。
【符号の説明】
【００８６】
１  車載機
２  デバイス
２３  接続処理部
２５  接続所要時間記録部
２７  接続順序決定部
２８  接続処理制御部
【図１】
2013172295.tif 000003
【図２】
2013172295.tif 000004
【図３】
2013172295.tif 000005
【図４】
2013172295.tif 000006
【図５】
2013172295.tif 000007
【図６】
2013172295.tif 000008